(57)【要約】【課題】  本発明は、複雑な機構を設けることなく、ロール紙のサイズに応じて調整した一対のガイド板の間隔を維持することができ、ロール紙の交換時の作業効率を改善することができるロール紙支持装置を提供することを課題とする。【解決手段】  シャフト部６に形成された左側螺旋溝および右側螺旋溝とそれぞれ螺合される円周溝を有する貫通孔を左側ガイド部４および右側ガイド部５にそれぞれ形成し、左側ガイド部４および右側ガイド部５がシャフト部６の回転に伴って、支持部３に支持されたロール紙１の軸方向に、且つ同一の移動量で反対方向に連動して移動されるように構成することにより、左側ガイド部４および右側ガイド部５を支持部６に支持されたロール紙１の軸方向に移動させる移動機構と、左側ガイド部４および右側ガイド部５を固定する固定機構とを兼用する。【選択図】        図１
2006036515.tif 000002
【特許請求の範囲】
【請求項１】
支持手段にロール紙を支持するロール紙支持装置であって、
前記支持手段に支持された前記ロール紙の軸方向に配設され、中央部から両端部側に向けて異なる向きの左側螺旋溝および右側螺旋溝がそれぞれ形成されているシャフト手段と、
前記左側螺旋溝と螺合される円周溝を有する貫通孔が形成され、前記支持手段に支持された前記ロール紙の左側面に当接する左側ガイド手段と、
前記右側螺旋溝と螺合する円周溝を有する貫通孔が形成され、前記支持手段に支持された前記ロール紙の右側面に当接する右側ガイド手段と、
前記シャフト手段を中心とした前記左側ガイド手段および前記右側ガイド手段の回動を規制する回動規制手段とを具備し、
前記左側ガイド手段および前記右側ガイド手段は、前記シャフト手段の回転に伴って、前記支持手段に支持された前記ロール紙の軸方向に、且つ同一の移動量で反対方向に連動して移動されることを特徴とするロール紙支持装置。
【請求項２】
前記左側ガイド手段および前記右側ガイド手段は、印字範囲のセンタ位置を中心にして同一の移動量で反対方向に連動して移動されることを特徴とする請求項１記載のロール紙支持装置。
【請求項３】
前記シャフト手段の回転に一定周期でクリック感を付与するクリック感付与手段を具備することを特徴とする請求項１又は２記載のロール紙支持装置。
【発明の詳細な説明】
【技術分野】
【０００１】
本発明は、プリンタやファクシミリ等に用いられるロール状に巻回された記録紙やロール状に巻回された帯状台紙上に仮着されているラベルやシールといったロール紙を支持するロール紙支持装置に関し、特にガイド板を用いて支持したロール紙の軸方向の位置決めを行うロール紙支持装置に関する。
【背景技術】
【０００２】
ロール状に巻回された記録紙やロール状に巻回された帯状台紙上に仮着されているラベルやシールといったロール紙に印字を行うプリンタやファクシミリにおいては、支持したロール紙の軸方向の位置決めを行う必要がある。ロール紙の軸方向の位置決めは、一般的に支持したロール紙の側面をガイドするガイド板によって行われ、センタ振り分け構造のプリンタやファクシミリでは、一対のガイド板をラック・ピニオン構造によって連動させて支持するロール紙の軸方向に摺動させ、一対のガイド板の間隔をロール紙のサイズに応じて調整するように構成され、ロール紙のサイズに応じて調整した一対のガイド板の間隔を維持するためにガイド板を固定するロック機構が設けられている（例えば、特許文献１参照）。
【０００３】
しかしながら、従来技術では、ロール紙のサイズに応じて調整した一対のガイド板の間隔を維持するために、ガイド板を固定するロック機構という複雑な機構を設けなければならないと共に、異なるサイズのロール紙を装着する場合には、ロック機構を解除して再調整作業行う必要があり、ロール紙の交換作業が繁雑になってしまうという問題点があった。
【特許文献１】特開２００２−３２１８５１号公報
【発明の開示】
【発明が解決しようとする課題】
【０００４】
本発明は斯かる問題点に鑑みてなされたものであり、その目的とするところは、複雑な機構を設けることなく、ロール紙のサイズに応じて調整した一対のガイド板の間隔を維持することができ、ロール紙の交換時の作業効率を改善することができるロール紙支持装置を提供する点にある。
【課題を解決するための手段】
【０００５】
本発明は上記課題を解決すべく、以下に掲げる構成とした。
請求項１記載の発明の要旨は、支持手段にロール紙を支持するロール紙支持装置であって、前記支持手段に支持された前記ロール紙の軸方向に配設され、中央部から両端部側に向けて異なる向きの左側螺旋溝および右側螺旋溝がそれぞれ形成されているシャフト手段と、前記左側螺旋溝と螺合される円周溝を有する貫通孔が形成され、前記支持手段に支持された前記ロール紙の左側面に当接する左側ガイド手段と、前記右側螺旋溝と螺合する円周溝を有する貫通孔が形成され、前記支持手段に支持された前記ロール紙の右側面に当接する右側ガイド手段と、前記シャフト手段を中心とした前記左側ガイド手段および前記右側ガイド手段の回動を規制する回動規制手段とを具備し、前記左側ガイド手段および前記右側ガイド手段は、前記シャフト手段の回転に伴って、前記支持手段に支持された前記ロール紙の軸方向に、且つ同一の移動量で反対方向に連動して移動されることを特徴とするロール紙支持装置に存する。
また請求項２記載の発明の要旨は、前記左側ガイド手段および前記右側ガイド手段は、印字範囲のセンタ位置を中心にして同一の移動量で反対方向に連動して移動されることを特徴とする請求項１記載のロール紙支持装置に存する。
また請求項３記載の発明の要旨は、前記シャフト手段の回転に一定周期でクリック感を付与するクリック感付与手段を具備することを特徴とする請求項１又は２記載のロール紙支持装置に存する。
【発明の効果】
【０００６】
本発明のロール紙支持装置は、シャフト手段に形成された左側螺旋溝および右側螺旋溝とそれぞれ螺合される円周溝を有する貫通孔を左側ガイド手段および右側ガイド手段にそれぞれ形成し、左側ガイド手段および右側ガイド手段がシャフト手段の回転に伴って、支持手段に支持されたロール紙の軸方向に、且つ同一の移動量で反対方向に連動して移動されるように構成し、左側ガイド手段および右側ガイド手段を支持手段に支持されたロール紙の軸方向に移動させる移動機構と、左側ガイド手段および右側ガイド手段を固定する固定機構とを兼用することで、複雑な機構を設けることなく、ロール紙のサイズに応じて調整した左側ガイド手段および右側ガイド手段の間隔を維持することができると共に、異なるサイズのロール紙を装着する場合にも、ロック機構を解除する必要がなく、ロール紙の交換時の作業効率を改善することができるという効果を奏する。
【発明を実施するための最良の形態】
【０００７】
以下、本発明の実施の形態を図面に基づいて詳細に説明する。
【０００８】
図１は、本発明に係るロール紙支持装置の実施の形態の構成を示す斜視図であり、図２は、図１に示すガイド部の構成を示す斜視図であり、図３は、図１に示すシャフト部の構成を示す斜視図であり、図４は、図１に示すシャフト部およびガイド部の構成を示す斜視図であり、図５は、図１に示す板バネの動作を説明する説明図である。
【０００９】
本実施の形態は、図１を参照すると、ロール状に巻回された記録紙やロール状に巻回された帯状台紙上に仮着されているラベルやシールといったロール紙１に印字を行うプリンタやファクシミリに用いられ、サーマルヘッド２１およびプラテンローラ２２からなる印字部２に供給されるロール紙１を支持する装置であり、ロール紙１が支持される支持部３と、ロール紙１の軸方向の位置決めを行う左側ガイド部４および右側ガイド部５と、支持部３に支持されるロール紙１の軸方向に配置されているシャフト部６と、シャフト部６に当接している板バネ７と、左側ガイド部４および右側ガイド部５の位置を確認するためのスケール８とからなる。
【００１０】
支持部３は、図１を参照すると、ロール紙１を支持する支持面を有すると共に、シャフト部６を軸支する左側軸支部３１および右側軸支部３２が両側に延出されて形成されている。
【００１１】
左側ガイド部４は、図２を参照すると、支持部３に支持されるロール紙１の左側面に当接して左側の位置決めを行う左側ガイド板４１と、支持部３と共にロール紙１を支持する支持面を有する移動部４２とが一体で形成されており、移動部４２には、左回りの円周溝が形成され、シャフト部６が螺合されて貫通される円形の貫通孔４３が支持するロール紙１の軸方向に形成されていると共に、移動部４２の上部には、突起４４が形成されている。
【００１２】
右側ガイド部５は、図２を参照すると、左側ガイド部４と面対称の形状であり、支持部３に支持されるロール紙１の右側面に当接して右側の位置決めを行う右側ガイド板５１と、支持部３と共にロール紙１を支持する支持面を有する移動部５２とが一体で形成されており、移動部５２には、右回りの円周溝が形成され、シャフト部６が螺合されて貫通される円形の貫通孔５３が支持するロール紙１の軸方向に形成されていると共に、移動部５２の上部には、突起５４が形成されている。
【００１３】
シャフト部６は、図３を参照すると、円柱状の部材であるシャフト６１の中央部分に周面の一部が切り取られている円柱状の中央部６２が形成されていると共に、中央部６２から左右に向けたシャフト６１の周面には、左回りの左側螺旋溝６３と、左側螺旋溝６３と同一ピッチの右回りの右側螺旋溝６４とがそれぞれ形成されており、一端部にシャフト部６を回転させるためのダイヤル６５が設けられている。
【００１４】
図１に示すように、シャフト部６は、支持部３に支持されるロール紙１の軸方向に左側軸支部３１および右側軸支部３２に回転自在に軸支されており、中央部６２が印字部２の印字範囲のセンタ位置になるように位置決めされている。また、図４に示すように、シャフト部６には、シャフト部６の回転に伴って支持部３に支持されるロール紙１の軸方向に移動する左側ガイド部４および右側ガイド部５が取り付けられている。
【００１５】
左側ガイド部４は、移動部４２に形成されている左回りの円周溝を有する貫通孔４３がシャフト部６の左側螺旋溝６３に螺合され、右側ガイド部５は、移動部５２に形成されている右回りの円周溝を有する貫通孔５３がシャフト部６の右側螺旋溝６４に螺合されている。従って、左側ガイド部４および右側ガイド部５は、シャフト部６の回転に伴って同一の移動量で反対方向に連動して移動されることになり、図４に示すように、ダイヤル６５を操作してシャフト部６を矢印Ａの方向に回転させると、中央部６２を中心にして左側ガイド部４および右側ガイド部５が矢印Ａで示す方向、すなわち印字範囲のセンタ位置を中心にして互いが近接する方向に移動され、ダイヤル６５を操作してシャフト部６を矢印Ｂの方向に回転させると、中央部６２を中心にして左側ガイド部４および右側ガイド部５が矢印Ｂで示す方向、すなわち印字範囲のセンタ位置を中心にして互いが離れる方向に移動される。なお、本実施の形態では、シャフト部６を中心とする左側ガイド部４および右側ガイド部５の回動は、図１に示すように、支持部３とスケール８とが左側ガイド部４および右側ガイド部５の回動を規制する回動規制手段として機能するため、ダイヤル６５を操作してシャフト部６を回転させると、左側ガイド部４および右側ガイド部５が支持部３に支持されるロール紙１の軸方向に移動されることになる。
【００１６】
なお、シャフト部６の径と、シャフト部６に形成されている左側螺旋溝６３および右側螺旋溝６４のピッチとは、左側ガイド部４および右側ガイド部５に対して支持部３に支持されるロール紙１の軸方向に外力が加えられても、シャフト部３が回転して左側ガイド部４および右側ガイド部５が移動されないように設定されており、ダイヤル６５を操作してシャフト部６を回転させないと左側ガイド部４および右側ガイド部５を移動させることができないようになっている。
【００１７】
板バネ７は、シャフト部６の中央部６２に当接するように配置されており、図５（ａ）に示すように、中央部６２の円周部分に当接している場合には、撓んだ状態となり、図５（ｂ）に示すように、中央部６２の切り取り部分に当接している場合には、撓みが解消された状態となる。従って、ダイヤル６５を操作してシャフト部６を回転させるに際し、板バネ７によって１回転毎にクリック感を与えることができる。
【００１８】
スケール８は、左側ガイド部４の移動部４２および右側ガイド部５の移動部５２にそれぞれ形成されている突部４４、５４の近傍に配置されており、シャフト部６の回転によって左側ガイド部４および右側ガイド部５を支持部３に支持されるロール紙１の軸方向に移動させるに際し、突部４４、５４とスケール８に設けられた目盛りとを合わせることによって、支持させるロール紙１のサイズに応じた左側ガイド部４および右側ガイド部５の位置を認識できるようになっている。なお、左側ガイド部４の移動部４２および右側ガイド部５の移動部５２にそれぞれ形成されている突部４４、５４をスケール８と対向する位置に設けると共に、スケール８に目盛りの代わりに突部４４、５４が嵌る凹部を形成することで、支持させるロール紙１のサイズに応じた左側ガイド部４および右側ガイド部５の位置を認識できるようにしても良い。
【００１９】
以上説明したように、本実施の形態によれば、シャフト部６に形成された左側螺旋溝６３および右側螺旋溝６４とそれぞれ螺合される円周溝を有する貫通孔４３、５３を左側ガイド部４および右側ガイド部５にそれぞれ形成し、左側ガイド部４および右側ガイド部５がシャフト部６の回転に伴って、支持部３に支持されたロール紙１の軸方向に、且つ同一の移動量で反対方向に連動して移動されるように構成し、左側ガイド部４および右側ガイド部５を支持部６に支持されたロール紙１の軸方向に移動させる移動機構と、左側ガイド部４および右側ガイド部５を固定する固定機構とを兼用することで、複雑な機構を設けることなく、ロール紙１のサイズに応じて調整した左側ガイド部４および右側ガイド部５の間隔を維持することができると共に、異なるサイズのロール紙１を装着する場合にも、ロック機構を解除する必要がなく、ロール紙１の交換時の作業効率を改善することができるという効果を奏する。
【００２０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２１】
【図１】本発明に係るロール紙支持装置の実施の形態の構成を示す斜視図である。
【図２】図１に示すガイド部の構成を示す斜視図である。
【図３】図１に示すシャフト部の構成を示す斜視図である。
【図４】図１に示すシャフト部およびガイド部の構成を示す斜視図である。
【図５】図１に示す板バネの動作を説明する説明図である。
【符号の説明】
【００２２】
１  ロール紙
２  印字部
３  支持部
４  左側ガイド部
５  右側ガイド部
６  シャフト部
７  板バネ（クリック感付与手段）
８  スケール
２１  サーマルヘッド
２２  プラテンローラ
３１  左側軸支部
３２  右側軸支部
４１  左側ガイド板
４２  移動部
４３  貫通孔
４４  突起
５１  右側ガイド板
５２  移動部
５３  貫通孔
５４  突起
６１  シャフト
６２  中央部（クリック感付与手段）
６３  左側螺旋溝
６４  右側螺旋溝
６５  ダイヤル
【図１】
2006036515.tif 000003
【図２】
2006036515.tif 000004
【図３】
2006036515.tif 000005
【図４】
2006036515.tif 000006
【図５】
2006036515.tif 000007